(57)【要約】      （修正有）【課題】ルアーのフックを釣り場の状況に応じてルアー本体に固定又は仮固定の状態に出来る様にした。【解決手段】ルアー本体１に溝２を設け、フロントフック３、リアフック４の取り付け位置に開口部の有るフックアイ５を設け、ルアーアイ６からフロントフック、リアフック取り付け位置の長さにしたワイヤー７をテーパーチューブ８に通し両端をアイ９にして、スプリットリング１０を介してフロントフック、リアフックを付け、ルアー本体のルアーアイにフロントとリアフックのワイヤーを付け、溝にリアフックのワイヤーを入れ開口部の有るフックアイにテーパーチューブを挟み入れる事によりリアフックを仮固定し、フロントフックのワイヤーのテーパーチューブを開口部の有るフックアイに挟み入れる事によりフロントフックを仮固定し、フックアイの開口部をオーリング１１を掛けて塞ぐ事によりフックを固定する。【選択図】図１
2006191916.tif 000002
【特許請求の範囲】
【請求項１】
ルアーにワイヤーを介してフックを付け、このワイヤーを開口部の有るフックアイにはさみ入れ、開口部を開閉する事によりフックの仮固定と固定をすることを特徴とする、ルアーのフック取り付け方法とこれを用いたルアー。
【請求項２】
ルアーにワイヤーを介してフックを付け、このワイヤーをフックアイに掛け入れて仮固定し、その上からフックアイの穴にロックパーツを通し入れて固定し、ロックパーツを付け外しをする事によりフックの仮固定と固定をすることを特徴とする、ルアーのフック取り付け方法とこれを用いたルアー。
【発明の詳細な説明】
【技術分野】
【０００１】  本発明は、ルアーのフックを釣り場の状況に応じて任意にルアー本体に固定又は仮固定の状態に出来る様にした、ルアーのフック取り付け方法とこれを用いたルアーに関するものである。
【背景技術】
【０００２】  従来は、ルアーのフックは、ルアー本体に付いたフックアイや穴に直接接続するかもしくはスプリットリングを使い接続していた、又これ等の方法以外にスイミングフック、アシストフックや遊動式のフックシステムにより取り付けられていた。
【特許文献１】国際公開番号Ｗ０７９／４５００７号公報
【特許文献１】特許公開２００４−３３７０７６号公報
【特許文献１】特許公開２００３−１０２３３８号公報
【特許文献１】特許公開平１０−１５０８８６号公報
【特許文献１】特許公開２００１−２６９０８３号公報
【特許文献１】実用新案公開平６−１９４５８号公報
【発明の開示】
登録実用新案第３０７２１２５号公報
【発明が解決しようとする課題】
【０００３】  そのために次のような問題点があった。
フックの動く範囲がフックアイ、スプリットリング、フックの範囲でしか動かず、途中で魚をバラシたり、フックを魚から外すとき怪我をする事が有り、時間も掛かった。
フックの動く範囲を大きくするために、編み糸等で出来たスイミングフックに変える事でバラシは減る代わりに、根掛りや釣り糸、ルアー本体に絡むトラブルが発生していた。アシストフックは、バラシや根掛りも少ないが釣り糸やルアー本体に絡むトラブルが発生し、又ルアーの動きに影響が出るため一部のルアーにしか使えない。遊動式のフックシステムは、従来の様にフックを固定できないために障害物等でもシステムが作動しトラブルの原因になっていた。遊動式のフックシステムは、複数のフックが有る場合個々のフックを別々に遊動式に出来ない。遊動式のフックシステムは、ルアー本体の内部が専用の構造をしているので、ルアーの種類や形、サイズにより遊動式のフックシステムに出来ない。
本発明は、以上の問題点を解決するためになされたものである。
【課題を解決するための手段】
【０００４】（イ）請求項１
ルアー本体（１）に溝（２）を設け、フロントフック（３）リアフック（４）の取り付け位置に開口部の有るフックアイ（５）を設ける。ルアーアイ（６）からフロントフック、リアフックの取り付け位置の長さにしたワイヤー（７）をテーパーチューブ（８）に通し両端をアイ（９）にして、それぞれ後ろ側のアイにスプリットリング（１０）を介してフロントフック、リアフックを付ける。ルアー本体のルアーアイにリアフック、フロントフックのワイヤーを付け、溝にリアフックのワイヤーを入れ開口部の有るフックアイにテーパーチューブを挟み入れる事により、リアフックを仮固定する。フロントフックのワイヤーのテーパーチューブを開口部の有るフックアイに挟み入れる事によりフロントフックを仮固定する。
フロントフック、リアフックを固定する場合は、開口部の有るフックアイの開口部をふさぐ様にオーリング（１１）を掛けてロックする。
（ロ）請求項２
ルアー本体（１）に溝（２）を設け、フロントフック（３）リアフック（４）の取り付け位置にフックアイ（１２）を設ける。ルアーアイ（６）からフロントフック、リアフックの取り付け位置の長さにしたワイヤー（７）の両端をアイ（９）にして、それぞれ後ろ側のアイにスプリットリング（１０）を介してフロントフック、リアフック、オーリング（１１）を付ける。ルアー本体のルアーアイにリアフック、フロントフックのワイヤーを付け、溝にリアフックのワイヤーを入れフックアイにオーリングを掛け入れる事によりリアフックを仮固定する。フロントフックのワイヤーのオーリングをフックアイに掛け入れる事によりフロントフックを仮固定する。
スプリットリングがルアー本体に当たる部分にスプリットリングの一部又は全体の入る凹み（１４）を設け、スプリットリングを収める。
フロントフック、リアフックを固定する場合は、フックアイにオーリングを掛け入れて仮固定した上からロックパーツ（１３）をフックアイの穴に入れオーリングを押さえて固定する。
【発明の効果】
【０００５】  本発明は、魚が掛かるとフックが外れて自由度が増す事により、バラシを防ぎ、又掛かったフックが外し易く、フックの交換もし易い。フックを個別に、強さを簡単に変えながら仮固定が出来、又固定することも出来る事により、釣り場の状態に合わせて調整し、根掛かり等によりフックが外れるトラブルを防ぐ事が出来る。ワイヤーの交換が簡単に出来る事により、釣り場の状態に合わせて材質を変えることが出来る。ワイヤーを弛みの無い状態で付ける事が出来る事により、ルアーの動きに影響やフックが絡むトラブルを防ぐ事が出来る。ルアー本体の内部に特別な構造を必要としないのでサイズや種類に関係なく採用出来る。現在有るルアーも、遊動式のフックシステムルアーにする事が出来る。ワイヤーの間であればフックの位置の移動や、フックの数を増やす事が出来る。フック、スプリットリング、テーパーチューブ、オーリング、ロックパーツ、ワイヤーを個別に交換、調整できる。ルアーアイ、スプリットリング、フック間で発生していた音を少なく出来る。フック同士が絡まない。
【発明を実施するための最良の形態】
【０００６】  以下、本発明の実施の形態を説明する。
請求項１
（イ）  図１、ルアー本体（１）の上部中央に図２、の凸を並べて間にワイヤー（７）の入る溝（２）を設けワイヤーが左右にずれないようにする。
（ロ）  図１、ルアー本体（１）のフロントフック（３）リアフック（４）の取り付け位置に図３、ステンレス又は形状記憶合金等の金属線で出来た開口部の有るフックアイに、柔軟で弾力性の有るゴム、合成ゴム等のオーリング（１１）を組合せて開口部をオーリング（１１）で開閉する、開口部の有るフックアイ（５）を横向きに設ける。
（ハ）  図１、ルアー本体（１）のルアーアイ（６）からフロントフック（３）リアフック（４）それぞれの取り付け位置の長さにした強度と柔軟性の有るワイヤー（７）を弾力性の有るゴム又はシリコンゴム等のテーパーチューブ（８）に通し、両端をアイ（９）にして、後ろ側のアイにスプリットリング（１０）を介してフロントフック（３）リアフック（４）を付ける。
（ニ）  図４、ルアー本体（１）のルアーアイ（６）をフロントフック、リアフックのワイヤー（７）の前側のアイ（９）に入れる。
（ホ）  図５、溝（２）にリアフックのワイヤー（７）を入れ、ずれない様にして開口部の有るフックアイ（５）にテーパーチューブ（８）を挟み入れ、開口部の有るフックアイ（５）の挟み込む力とテーパーチューブ（８）の弾力と形状により、リアフック（４）を仮固定する。
（ヘ）  図５、フロントフックのワイヤー（７）のテーパーチューブ（８）を開口部の有るフックアイ（５）に挟み入れ、フロントフック（３）を仮固定する。
（ト）  図３、開口部の有るフックアイ（５）の開口部をオーリング（１１）を掛けて塞ぎロックする事によりフロントフック（３）リアフック（４）を固定する。
（チ）  オーリング（１１）を弾力性の違う物に交換する事により、固定の強さの調整をする。弾力性を弱くする事により仮固定の状態にも出来る。
（リ）  オーリング（１１）を金属製にしても良い。
（ヌ）  フック（３）（４）を固定するオーリング（１１）の強度は、開口部の有るフックアイ（５）やルアー本体（１）と開口部の有るフックアイ（５）の取り付け部分の強度よりも弱くしておくと、フックに過度の力が掛かってもルアー本体（１）の破損を防ぐ事が出来る。
（ル）  開口部の有るフックアイ（５）はルアー本体（１）製造組み立て時に埋め込み固定するか又は後付でも良い。
（ヲ）  ワイヤー（７）は、ＰＥライン、バッキングライン等のつり用ラインやダクロン、ケブラー等の柔軟性と強度の有る繊維製の編糸、コーティングをした繊維製の編糸、ワイヤーの他ステンレス、形状記憶合金等の金属製のワイヤーや編糸でないナイロンライン、フロロカーボンライン、ワイヤー状態でない金属線でも良く、ルアーのサイズや種類に応じて最適な物を使う。
（ワ）  ワイヤーのアイ（９）は使用するワイヤーの種類により、中通し、カシメ、結び等をもちいてワイヤーの強度を生かせる方法で作る。
（カ）  図３、開口部の有るフックアイ（５）は、金属線の片側にオーリング（１１）を外れないように付け、開口部を挟んで反対側の金属線の端はオーリングを引っ掛けることが出来るように曲げる。開口部の間はテーパーチューブ（８）の大きさより狭くして仮固定をする。開口部をふさぐ様にオーリングを掛ける事により固定する。
本発明は以上の構成からなるので、本発明を使用するときは、釣り場の状況や魚の種類、ルアーの特性等から、根掛り等でフックの仮固定の状態が誤作動をする恐れがない場合は、仮固定の状態で使用する事により、魚が掛かり力の加わる事によりフックは開口部の有るフックアイから外れ従来のフック取り付け状態よりも作動範囲が大きく自由度が増し、ルアー本体の影響を受けにくくなることでバラシを防ぐことが出来る。
根掛り等でフックの仮固定の状態が誤作動をする場合は、開口部の有るフックアイの開口部をオーリングで塞ぎロックする事により、フックを固定して誤作動でフックが外れるトラブルや、外れたフックが原因で根掛りをするトラブルを防ぐことが出来る。
オーリングの強度や弾力性を変える事により、仮固定や固定の強さを変える事が出来る。
釣り場の状態に合わせてフックの取り付け状態を個別に調整する事により、根掛りによるトラブルを防ぎ、同時にバラシを防ぐことが出来る。【０００７】  以下、本発明の実施の形態を説明する。
請求項２
（イ）  図６、溝（２）は、請求項１と同じ。
（ロ）  図６、フロントフック（３）リアフック（４）の取り付け位置にフックアイ（１２）を縦向きに設ける。
（ハ）  図６、ルアーアイ（６）からフロントフック（３）リアフック（４）の取り付け位置の長さにした双方のワイヤー（７）の両端をアイ（９）にしてそれぞれの後ろ側のアイにスプリットリング（１０）を介して、フック（３）（４）と柔軟で弾力性の有るゴム又はシリコンゴム製のオーリング（１１）を付ける。
（ニ）  図７、ルアー本体（１）のルアーアイ（６）をフロントフック、リアフックのワイヤー（７）の前側のアイ（９）に入れ、溝（２）にリアフックのワイヤー（７）を入れスプリットリング（１０）を立て向きにして、オーリング（１１）をフックアイ（１２）に掛け入れてリアフック（４）を仮固定する。
（ホ）  図７、フロントフックのワイヤー（７）のスプリットリング（１０）を立て向きにして、オーリング（１１）をフックアイ（１２）に掛け入れてフロントフック（３）を仮固定する。
（ヘ）  図７、フロントフック（３）リアフック（４）のフックアイ（１２）にオーリング（１１）を掛け入れて仮固定した上から弾力性の有るゴム又はシリコンゴム製のロックパーツ（１３）をフックアイ（１２）の穴に通し入れオーリング（１１）を押さえてフロントフック、リアフックを固定する。
（ト）  図８、ロックパーツはフックアイの当たる部分に凹みを設けて外れを防止する。
（チ）  ロックパーツ（１３）の材質を変更して、柔軟性や弾力性を変える事により、固定の強さを変え、軟らかくする事によりロックパーツは力が加わると変形する事によりオーリングが外れ、仮固定の状態に出来る。
（リ）  オーリング（１１）の材質を変更して、柔軟性や弾力性を変える事により、仮固定の強さを変える。
（ヌ）  フックアイ（１２）に従来と同じフックのつけ方も出来る。
（ル）  ワイヤー（７）の材質や機能は請求項１と同じ。
（ヲ）  フックアイ（１２）はルアー本体（１）製造組み立て時に埋め込み固定又は後付けする。
（ワ）  フック（３）（４）を固定するオーリング（１１）とロックパーツ（１３）の強度は、フックアイ（１２）やルアー本体（１）とフックアイ（１２）の取り付け強度よりも弱くしておくと、フックに過度の力が掛かってもルアー本体（１）の破損を防ぐ。
（カ）  図７、スプリットリング（１０）がルアー本体に当たる部分にスプリットリングの一部の入る凹み（１４）を設ける。ルアーの種類や形状により無くても良い。
（ヨ）  図７、リアフックのワイヤーが左右にずれないようにルアー本体の後ろに凹みを設ける。
本発明は以上の構成からなるので、本発明を使用するときは、釣り場の状況や魚の種類、ルアーの特性等から、根掛り等でフックの仮固定の状態が誤作動をする恐れがない場合は、仮固定の状態で使用する事により、フックに魚が掛かり力の加わる事によりフックアイからオーリングが外れ、フックは固定した状態よりも作動範囲が大きく自由度が増し、ルアー本体の影響を受けにくくなることでバラシを防ぐことが出来る。
根掛り等でフックの仮固定の状態が誤作動をする場合は、オーリングを仮固定した上からロックパーツをフックアイに通し入れ、オーリングを押さえる事によりフックの固定をして誤作動でフックが外れるトラブルや、外れたフックが原因で根掛りをするトラブルを防ぐことが出来る。
ロックパーツとオーリングの硬さや弾力性を変える事により、フックの仮固定や固定の強さを変更出来る。
フロントフック、リアフックの取り付け状態を釣り場の状態に合わせて個別に調整する事により、根掛りによるトラブルを防ぎ、同時にバラシを防ぐことが出来る。
フックアイにスプリットリングを介してフックを付け、従来のルアーと同じ様にフックを固定出来る。
従来のルアーも仮固定のフックに出来る。
【発明を実施するための最良の形態】
【実施例１】
【０００８】  溝のその他の実施例
（イ）  独立した溝を複数設ける。
（ロ）  溝を連続した一体型として、部分的に設ける。
（ハ）  溝を連続した一体型として、ワイヤー全体が入る様に設ける。
（ニ）  フロントフック取り付けワイヤーが入る溝をルアー本体の下側に設ける。
（ホ）  図９、溝の両側に凸を設けずに丸形、角形、Ｖ形等の凹みを設ける。
（ヘ）  図１０、溝の開口部を狭くしてテーパーチューブ等を固定する。
（ト）  図１１、開口部を狭くした溝の部品（１５）をルアー本体に凹みを付け接着する。
（チ）  図１２、プレス等で作った部品を組み合わせて溝を作る。
【実施例２】
【０００９】  ワイヤーの取り付け方のその他の実施例
（イ）  図１３、フロントフック、リアフックのワイヤーを一体にして、ルアーアイの間を通して付ける。
（ロ）  ルアーアイの他に、フロントフック、リアフックのワイヤーを付けるアイをルアー本体に設けて、直接又はスプリットリング等を介してワイヤーを付ける。
（ハ）  ルアーアイに付けたリアフックのワイヤーをルアー本体の下側を通し、リアフックを付ける。
（ニ）  ルアー本体の下側にリアフックのワイヤーを付けるアイを設けて、ルアー本体の下側にワイヤーを通しリアフックを付ける。
（ホ）  フロントフックを仮固定又は固定するフックアイにリアフック用ワイヤーの先端のアイを付ける。
（ヘ）  スイベルを介してワイヤーとルアー本体を付ける。
（ト）  釣り糸とルアーを接続するスプリットリング等にワイヤーを付ける。
（チ）  テーパーチューブを使わず直接開口部の有るフックアイにワイヤーを挟む。
（リ）  オーリングを使わず直接フックアイに、ワイヤーのアイやスプリットリングを掛け入れる。
【実施例３】
【００１０】  開口部の有るフックアイのその他の実施例
（イ）  図１４、簡単にオーリングを交換、追加出来る開口部の有るフックアイ。
（ロ）  オーリングを使用しないで、フックアイの開口部の両端をそれぞれ反対方向にかぎ型に曲げ、双方を引っ掛け開け閉めをする。
（ハ）  開口部の有るフックアイを、ルアー本体に対して縦向に設ける。
（ニ）  リアフックの開口部の有るフックアイをルアー本体の後ろや下に設ける。
（ホ）  開口部の有るフックアイは丸型の他、取り付け方や場所に適した形に変える。
（ヘ）  請求項２のルアーのフックアイを開口部の有るフックアイにする。
【実施例４】
【００１１】  ワイヤーのその他の実施例
（イ）  ワイヤーの後方にアイを二つ設け前のアイをフックアイに掛け入れて、後ろのアイにスプリットリングを介してフックを付ける。
（ロ）  ワイヤーの後方のアイにスプリットリングとオーリングを付ける。
（ハ）  オーリングをワイヤーに通し、スプリットリングを縦又は横向きに付ける。
（ニ）  柔軟で弾力の有るチューブにワイヤーを通し開口部を狭くした溝に入れてルアー本体の形に密着させ、フックがワイヤーに絡むトラブルや、ワイヤーの傷付を防止する。
（ホ）  アシストフックをワイヤーの換わりに付ける。
（ヘ）  ワイヤー部分に、編糸でカバーしたゴムを使用する。
【実施例５】
【００１２】  フックアイのその他の実施例
（イ）  フックアイを、ルアー本体に対して横向きに設ける。
（ロ）  リアフックのフックアイをルアー本体の上や後ろに設ける。
（ハ）  フックアイを、ルアー本体と一体で設ける。
（ニ）  図１５、フックアイを板状にしてオーリングのズレ防止の凸凹を設ける。
（ホ）  板状にしたフックアイを並べて間にスプリットリングが入る様にする。
（ヘ）  図１６、ロックパーツを入れる穴の代わりにオーリングの外れない深い凹みを設ける。
（ト）  フロントフックのフックアイ又はフリーフックアイをルアー本体の側面の両側に儲け、個々にワイヤーを介してフックを付ける。
（リ）  ルアー本体にフックを仮固定するオーリングのズレ防止の凹みを数個設け、固定する凹みは他より深くする。
（ヌ）  ルアー本体にフックを仮固定するオーリングのズレ防止の凸を数個設け、固定する凸は他より高くする。
（ル）  フックアイは丸型の他に、取り付け方や場所により形を変える。
（ヲ）  ロックパーツを入れる穴は、フックアイの取り付け方や形に合わせて変える。
（ワ）  フックアイは、ルアー本体の材質とフックアイの材質により、ルアー本体と一体、埋め込み、後付等により設ける。
【実施例６】
【００１３】  ロックパーツのその他の実施例
（イ）  ロックパーツの一部又は両端を魚の鰭の様な形にする。
（ロ）  ロックパーツを板状にして両端を魚の鰭の様な形にする。
（ハ）  ロックパーツは同じ材質の物でもチューブの様に穴の開いた物と無垢の物にする事で固定する強さを変える。
（ニ）  ロックパーツはフックアイのロックパーツを入れる穴に合わせた形にする。
【実施例７】
【００１４】  テーパーチューブのその他の実施例
（イ）  テーパーチューブの一部を魚の鰭の様な形にする
（ロ）  ストレートチューブにする。
（ハ）  テーパーチューブのフック側にスプリットリングとフックのアイを入れて、スプリットリングとフックのアイの立てる音や動きを抑える。
【実施例８】
【００１５】  リップ付きルアーにワイヤーを取り付ける実施例
（イ）  図１７、ルアーのリップに丸又は縦長の穴を設け、ワイヤーを通しルアーアイに付ける。
（ロ）  ルアーのリップを二つに分け間を空けて、ワイヤーを通しルアーアイに付ける。
（ハ）  リップの後ろにワイヤーを付けるアイを設ける。
（ニ）  リアフックの開口部の有るフックアイ又はフックアイにフロントフックのワイヤーを付け、ルアー本体の後方から前方に向かってフロントフックのワイヤーを付ける。
（ホ）  リアフックのフックアイにフロントフックのワイヤーを付け、ルアー本体の後方から前方に向かってフロントフックのワイヤーを付ける。
【実施例９】
【００１６】  スプリットリングを取り付ける実施例使
（イ）  スプリットリングの両側に凸を設けて、スプリットリングを収める。
（ロ）  スプリットリングを横向きに付ける。
（ハ）  スプリットリングをＤ型にし、直線部分をルアー本体側にする事によりスプリットリングを収める凹みを浅くする。
【実施例１０】
【００１７】  図１８、請求項２のルアー本体のフック取り付け部分に開口部を狭くした溝（１５）を設け、請求項１のワイヤーをもちいて仮固定をする。
【実施例１０】
【００１７】  ルアー本体のフックアイより前側に凸を設け、凸に掛ける様にワイヤーの途中にアイを設けて、凸とフックアイの間でワイヤーのテンションを保ち、これより前側のワイヤーに自由度を持たせルアーアイやスプリットリング等に付ける様にして、リップ付ルアーは、凸の代わりにワイヤーのアイをリップに掛ける。
【実施例１１】
【００１８】  ルアー本体の開口部の有るフックアイやフックアイの取り付け部分に凹みを設け、その中に開口部の有るフックアイやフックアイを設け、テーパーチューブやロックパーツの一部又は全体が納まる様にする。
【図面の簡単な説明】
【００１９】
【図１】本発明の側面図
【図２】溝の断面図
【図３】開口部の有るフックアイの正面図
【図４】ワイヤーの取り付け方を示す側面図
【図５】本発明の使用状態を示す側面図
【図６】本発明の側面図
【図７】本発明の使用状態を示す斜視図
【図８】ロックパーツの斜視図
【図９】溝の他の実施例の断面図
【図１０】溝の他の実施例の断面図
【図１１】溝の他の実施例の断面図
【図１２】溝の他の実施例の断面図
【図１３】ワイヤーの取り付け方の他の実施例の側面図
【図１４】開口部の有るフックアイの他の実施例の正面図
【図１５】フックアイの他の実施例の側面図
【図１６】フックアイの他の実施例の側面図
【図１７】リップ付きルアーにワイヤーを取り付け状態を示す側面図
【図１８】本発明の他の実施例を示す側面図
【図１９】開口部の有るフックアイの他の実施例を示す正面図
【符号の説明】
【００２０】  １  ルアー本体
２  溝
３  フロントフック
４  リアフック
５  開口部の有るフックアイ
６  ルアーアイ
７  ワイヤー
８  テーパーチューブ
９  ワイヤーのアイ
１０  スプリットリング
１１  オーリング
１２  フックアイ
１３  ロックパーツ
１４  スプリットリングの一部が入る凹み
１５  開口部を狭くした溝
【図１】
2006191916.tif 000003
【図２】
2006191916.tif 000004
【図３】
2006191916.tif 000005
【図４】
2006191916.tif 000006
【図５】
2006191916.tif 000007
【図６】
2006191916.tif 000008
【図７】
2006191916.tif 000009
【図８】
2006191916.tif 000010
【図９】
2006191916.tif 000011
【図１０】
2006191916.tif 000012
【図１１】
2006191916.tif 000013
【図１２】
2006191916.tif 000014
【図１３】
2006191916.tif 000015
【図１４】
2006191916.tif 000016
【図１５】
2006191916.tif 000017
【図１６】
2006191916.tif 000018
【図１７】
2006191916.tif 000019
【図１８】
2006191916.tif 000020
【図１９】
2006191916.tif 000021